(57)【特許請求の範囲】
【請求項１】
側面開放車の荷台上の枠体（２）に、荷台（１）の車幅方向中央と両側端に、荷台（１）の長手方向に沿って所要の間隔で支柱（３、３Ｍ）を着脱自在に立設接合し、各支柱（３、３Ｍ）の荷台（１）の長手方向の対向面において、上下に渡って同一位相で所要の開口部（１８）と係着部（１９）を配設し、該開口部（１８）を介して各支柱（３、３Ｍ）に車幅方向に沿って同一位相で棚板載架手段（１７）を、その載架部（２３）を対向して複数段に渡って着脱自在に係着し、各載架部（２３）に所要数の棚板（２４）をその長手方向両端において載架して成る側面開放車の荷台構造。
【請求項２】
側面開放車の荷台上の枠体（２）の前方大半に、荷台（１）の車幅方向中央と両側端に、荷台（１）の長手方向に沿って所要の間隔で支柱（３、３Ｍ）を着脱自在に立設接合し、各支柱（３、３Ｍ）の荷台（１）の長手方向の対向面において、上下に渡って同一位相で所要の開口部（１８）と係着部（１９）を配設し、該開口部（１８）を介して各支柱（３、３Ｍ）に車幅方向に沿って同一位相で棚板載架手段（１７）を、その載架部（２３）を対向して複数段に渡って着脱自在に係着し、各載架部（２３）に所要数の棚板（２４）をその長手方向両端において載架し、枠体（２）の後方残部には、荷台（１）の車幅方向両側端に荷台（１）の長手方向に沿って所要の間隔で支柱（３）を着脱自在に立設接合し、各支柱（３）の車幅方向の対向面において、上下に渡って同一位相で所要の開口部（１８）と係着部（１９）を配設し、該開口部（１８）を介して各支柱（３）には荷台（１）の長手方向に沿って前記位相と同一位相で棚板載架手段（１７）を、その載架部（２３）を対向して複数段に渡って着脱自在に係着し、各載架部（２３）に所要数の棚板（２４）をその長手方向両端において載架して成る側面開放車の荷台構造。
【請求項３】
枠体（２）の前方大半に立設接合する支柱（３、３Ｍ）の中で最後方の両側端の支柱（３Ｍ）の後面に、直角状の横部材（３１）と縦部材（３２）からなり該横部材（３１）に係着片（３３）を接合したアタッチメント（３０）を、該係着片（３３）において係着して成る請求項２記載の側面開放車の荷台構造。
【請求項４】
荷台（１）の運転席側最前端に配設される支柱（３）を、枠体（２）の前部枠柱（２８）に嵌入して成る請求項１、２、３記載の側面開放車の荷台構造。
【請求項５】
各段の棚板載架手段（１７）の上方で、対向支柱（３、３Ｍ）間に荷崩れ防止手段（３８）を配設して成る請求項１、２、３、４記載の側面開放車の荷台構造。
【請求項６】
各支柱（３、３Ｍ）の下端が荷台（１）の台枠（２）に着脱自在に接合されるとともに、枠体（２）の長手方向に沿う上部の縦梁（７）又は／及び車幅方向に沿い該縦梁（７）に直角接合部（５２）で接合する上部の横梁（５３）にそれぞれ支柱（３、３Ｍ）の上部が案内手段を介して移動固定自在に吊下されて成る請求項１、２、３、４、５記載の側面開放車の荷台構造。
【請求項７】
前記案内手段が前記直角接合部（５２）で連通して成り、縦梁（７）で吊下移動する支柱（３、３Ｍ）が、直角接合部（５２）から姿勢を９０°変更して横梁（５３）へ連続して吊下移動できることを特徴とする請求項６記載の側面開放車の荷台構造。
【請求項８】
台枠（５）の車幅方向両側方で、荷台（１）の長手方向所要個所に、側部あおり（６３）の水平開放姿勢を支持する支持手段（６４）を配設して成る請求項１、２、３、４、５、６、７記載の側面開放車の荷台構造。
【発明の詳細な説明】
【０００１】
【発明の属する技術分野】
本発明は、貨物自動車に属する側面開放車の荷台構造に関する。
【０００２】
【従来の技術】
従来の鉢花などの重ね積みできない貨物を運送する側面開放車の荷台構造は、荷台上の枠体に車幅方向両側端で所要数の支柱を対設し、両側端の各支柱を介して棚板を、その長手方向を車幅方向に沿わせて複数段に荷台の長手方向全長に渡って配設したものであるから、荷台の長手方向中間部分の鉢花などの貨物を抜き取るにはその部分に立入るスペースがなく、側方から抜き取るにしても支柱や棚板の受け金具が邪魔になってそれもできず、結局、荷下しの順序を考慮して先に荷下しするものから荷台後部に荷積みするなど、荷積み、荷下しの面で手間取る問題があった。また、空車時に支柱が積載空間を不要に制限することや、部分的に荷下しした後の荷崩れや、側部あおりを通路や踏み台として使用したいときに、側部あおりを吊り下げているワイヤーが作業の邪魔になっている。
【０００３】
【発明が解決しようとする課題】
本発明は、荷下しの優先順位を考慮することなく荷積みができ、空車時の積載空間を最大限に確保してその利用自由度を広範に確保でき、加えて、部分的に棚板から貨物を下ろしたときに他の貨物が荷崩れすることなく、さらに、側部あおりを水平開放して支持して側部あおりを通路や踏み台に利用できる側面開放車の提供をその目的とするものである。
【０００４】
【課題を解決するための手段】
上記目的を達成するための第１実施例の側面開放車の荷台構造は、荷台の全面をおおう枠体に、荷台の車幅方向中央と両側端に荷台の長手方向に沿って所要の間隔で支柱を着脱自在に接合して立設し、その各支柱の荷台の長手方向の対向面において、上下に渡って同一位相で所要の開口部と係着部を配設し、該開口部を介して各支柱に車幅方向に沿って同一位相で棚板載架手段を、その載架部を対向して複数段に渡って着脱自在に係着し、各載架部に所要数の棚板をその長手方向両端において載架して成る。
第２実施例の側面開放車の荷台構造は、荷台上の枠体の前方大半に、車幅方向中央と両側端に荷台の長手方向に沿って所要の間隔で支柱を着脱自在に接合して立設し、各支柱の荷台の長手方向の対向面において、上下に渡って同一位相で所要の開口部と係着部を配設し、該開口部を介して各支柱に車幅方向に沿って同一位相で棚板載架手段を、その載架部を対向して複数段に渡って着脱自在に係着し、各載架部に所要数の棚板をその長手方向両端において載架し、枠体の後方残部には、荷台の車幅方向両側端に荷台の長手方向に沿って所要の間隔で支柱を枠体に着脱自在に接合して立設し、各支柱の車幅方向の対向面において、上下に渡って同一位相で所要の開口部と係着部を配設し、該開口部を介して各支柱には荷台の長手方向に沿って前記位相と同一位相で棚板載架手段を、その載架部を対向して複数段に渡って着脱自在に係着し、各載架部に所要数の棚板をその長手方向両端において載架して成る。
第３実施例の側面開放車の荷台構造は、第２実施例の側面開放車の荷台構造において、枠体の前方大半に立設接合する支柱の中で、最後方の両側端の支柱の後面に、直角状の横部材と縦部材から成っていて横部材に係着片を接合したアタッチメントを該係着片において係着して成る。
第４実施例の側面開放車の荷台構造は、前記第１、第２、第３実施例の側面開放車の荷台構造において、荷台の運転席側最前端に配設される支柱を、枠体の前部枠柱に嵌入して成る。
第５実施例の側面開放車の荷台構造は、前記第１、第２、第３、第４実施例の側面開放車の荷台構造において、各段の棚板載架手段の上方で、対向支柱間に荷崩れ防止手段を配設して成る。
第６実施例の側面開放車の荷台構造は、前記第１、第２、第３、第４、第５実施例の側面開放車の荷台構造において、各支柱の下端が荷台の台枠に着脱自在に接合されるとともに、枠体の長手方向に沿う上部の縦梁又は／及び車幅方向に沿い該縦梁に直角接合部で接合する上部の横梁にそれぞれ支柱の上部が案内手段を介して移動固定自在に吊下げされて成る。
第７実施例の側面開放車の荷台構造は、第６実施例の側面開放車の荷台構造において、前記案内手段が前記直角接合部で連通して成る。
第８実施例の側面開放車の荷台構造は、前記第１、第２、第３、第４、第５、第６、第７実施例の側面開放車の荷台構造において、台枠の車幅方向両側方で荷台の長手方向所要個所に、側部あおりの水平開放姿勢を支持する支持手段を配設して成る。
【０００５】
【発明の実施の形態】
支柱には棚板載架手段の係着との関係で、その幅方向中央に高さ方向に沿って開口部と係着部とを交互に所要数配設するが、その配設面は片面のみのものから両面同一位相のものがある。運転席側最前端の支柱は枠体の前部枠柱に添設するものから枠柱に嵌入するものがある。荷台の後方で棚板載架手段を荷台の長手方向に沿って配設する際は、棚板載架手段の前後に支柱を立設して両支柱を介して棚板載架手段を支持するものから、前部の支柱に代えて車幅方向に沿う棚板載架手段を係着する支柱に一方を係着する直角状のアタッチメントを介して、棚板載架手段を支持するものがある。枠体の上部の縦梁や横梁に該断続案内レールを９０°回転して横梁に接合した案内レールに連接するものがある。この場合、すなわち、縦梁での移動から連続して横梁を移動する支柱では、下端のピンと台枠との関係においては、該台枠に対してピンを着脱自在に接合するものから、支柱の上部構造で、案内レールの内面と吊下座の上面間、またはＩ形レールの上部内面とアタッチメントの上面間の各間に、前記ピンを台枠から引き抜くだけの空間を配設するものがある。荷崩れ防止手段は、棚板（中間部分の棚板）上のトレイの長手方向端部相互間に支柱の上部を吊下する案内手段としては、上部の縦梁や横梁の下面に接合する案内レールに案内溝をそれぞれの長手方向に沿って切り欠き、支柱の上部に吊下座を立設し、該吊下座の狭幅部において該案内溝に案内し移動固定自在とするものから、上部の縦梁や横梁の下面にＩ形の案内レールを接合し、該レールに案内されるアタッチメントを支柱の上部に係着し、移動固定自在に支柱を吊下するなどである。このほか前記案内レールに切り欠いた各案内溝をＴ形に連接し、縦梁に吊下された支柱を９０°回転して横梁に案内できるものや、アタッチメントを支柱の上部に係着してＩ形の案内レールにアタッチメントを案内する構造では、縦梁と横梁の連接部で縦梁に対してＩ形の案内レールを部分的な断続案内レールで断続するとともに、該断続案内レールを回転自在に接合し、常時移動固定自在に垂下されるものから、棚板上のトレイの満杯状態では鉢花などに干渉しない上方へはね上げて移動固定自在に待機するものがある。側部あおりの支持手段においては、荷台の長手方向所要個所において、台枠の外側近傍の鉛直軸に回転自在に軸支した支持体で側部あおりを水平状に支持するものから、台枠の外側から出入自在に突出する支持板で支持するものがある。
【０００６】
【実施例】
本発明を実施例により説明すると、本発明の側面開放車は図１３に示すように、荷台１上に建てられた枠体２を骨格としているものをいう。枠体２は枠柱２８と枠柱２８上部間をつなぐ縦梁７と縦梁７をつなぐ横梁５３とから成っている。枠体２には屋根が架設される。この枠体２を骨格とした荷台構造ａは図１に示すように、車幅の中央線上と両側端線上で荷台１の長手方向に車幅と同じ長さの間隔をとって荷台１に支柱３を次記により建てている。支柱３は枠体２の柱と違って後記のように移動挿脱できるようにしたもので、図３に示すように、下端では垂下した２本のピン４を台枠５に穿設したピン孔６に係合して位置決めし、上端では両側端と中央とでは次のように分けて保持される。すなわち、両側端の上端では、枠体２の上部の縦梁７の両側に垂設した支持板８間に遊嵌し、両支持板８と支柱３の上端に横設した各係合孔に持ち手部９を直角に折曲した固定ピン１０を係合し、持ち手部９を下方へ垂下した状態で内方側の支持板８に形成した溝１１に持ち手部９を嵌め込み、固定ピン１０の抜け止めを図って両側端の列の支柱３の各上端を位置決めする。車幅方向中央の上端では、固定具１２の筒穴に支柱３の上端を嵌入し、固定具１２の上端両側方に一体の筒金１３と縦梁７の両側に一体の筒金１３とに持ち手部１４を直角に折曲した係止ピン１５を係合することによって、中央の列の支柱３の上端を位置決めしている。固定具１２を支柱３の上端に嵌着するには、その両側に突設した取手１６を持って嵌着する。
【０００７】
各支柱３には棚板載架手段１７として図３、図６に示すように、開口部１８と矩形板状の係着部１９とを車幅方向に交互多数に設け、各支柱３の対向面には、図４（ａ）に示す棚板載架手段１７の要部であるアングル材の棚板載架部材２０を、その垂直部２１の背面両端に逆Ｌ形に吊り出した係着片２２により図４（ｂ）に示すように支柱３の係着部１９に掛け着ける。その結果、棚板載架部材２０の水平部である載架部２３が対向するので対向載架部２３間に棚板２４を載架する。
【０００８】
支柱３は図５の分図（ａ）（ｂ）の支柱３と分図（Ａ）（Ｂ）の支柱３Ｍがあげられる。
分図（ａ）に示したものは軽山形鋼２５の縦辺を最小幅（最大幅に対向してもよい）に対向配置し、その後端（後面）間に継ぎ板２６を縦設し、横辺側の前端（前面）間に係着部１９を高さ方向に所要間隔で接合している。分図（Ａ）に示したものは、前記軽山形鋼２５の配置と同様の配置で前端間と後端間とに高さ方向に所要間隔で係着部１９を接合して成り、分図（ｂ）に示したものは、みぞを外方に向けた軽みぞ形鋼２７を対向配置し、後面間に継ぎ板２６を縦設し、前面間に高さ方向に所要間隔で矩形板状の係着部１９を接合して成り、分図（Ｂ）に示したものは、軽みぞ形鋼２７と同様の配置で軽みぞ形鋼２７間に高さ方向に所要間隔で係着部１９を接合して成る。このほか、輪郭は取付け時や収納時に空間を不要に占めることなく、強度上負荷を支持できるものであればよい。
【０００９】
支柱３と支柱３Ｍはそれぞれ次のように配置使用される。
支柱３は荷台１の前端及び後端に立設される。その際、前端においては左右側端及び中央の枠体２の各枠柱２８に、後端においては左右側端の各枠柱２８に添設するほか、各係着部１９を露出して各枠柱２８に嵌入接合することもある。支柱３Ｍは荷台１中央部に立設される。
上記のように荷台１の長手方向で配設された支柱３、３Ｍはその対向面には図４（ｂ）及び図６に示すように、同一位相の係着部１９に複数段に棚板載架部材２０を係着し、各段の棚板載架部材２０には、前記したように両載架部２３において図１（ｂ）に示す状態で棚板２４が載架され、各棚板２４には長手方向にその短手を配するように鉢花を収納したトレイ２９を載置する。
【００１０】
このようにして成る本荷台構造ａでは、鉢花を収納したトレイ２９を、水平開放した側部あおり６３を通路又は踏み台として棚板２４から車幅方向へ取り出しできるから、荷台１の後方から取り出す労力に比して省力的であり、荷下し順を考慮して荷積みする必要がない。
【００１１】
図２（ａ）（ｂ）に示す本荷台構造ｂについて説明すると、このものは一般貨物運送の荷台を鉢花などの重ね積みができるよう改造したものである。すなわち、荷台両側に建てる支柱３、３間隔（荷台の長さ方向の間隔）を棚板２４の縦長の長さを基準として支柱を建てた場合に、後方に該間隔に満たないスペースができる事がある。該スペースに対しては後方の観音開き扉から荷下しできるから、このスペースでの棚板２４の配置を前方での棚板２４の配置に対して９０°の位相で車幅方向にその長手方向を沿わせて変向させたものである。
【００１２】
本荷台構造ｂを図２により説明すると、荷台枠体２の寸法Ｌの前方大半に、荷台１の車幅方向中央と両側端に荷台の長手方向に沿って支柱３、３Ｍを建てている。図３に示すように、各支柱３は下端では下端に垂下した２本のピン４を台枠５に穿設したピン孔６に係合して位置決めし、両側端の上端では、上部の縦梁７の両側に垂下した両支持板８、８間に遊嵌し、両支持板８と支柱３の上端に横設した各係合孔に、持ち手部９を直角に折曲した固定ピン１０を係合し、持ち手部９を下方へ垂下した状態で、内方側の支持板８に形成した溝１１に持ち手部９を嵌め込み、固定ピン１０の抜け止めを図って両側端の支柱３の各上端を位置決めし、車幅方向中央の上端では、固定具１２の筒穴に支柱３の上端を嵌入し、固定具１２の上端両側方に一体の筒金１３と縦梁７の両側に一体の筒金１３とに、持ち手部１４を直角に折曲した係止ピン１５を係合することによって支柱３の上端を位置決めしている。固定具１２を支柱３の上端に嵌着するにはその両側に突設した取手１６を持って嵌着する。
各支柱３、３Ｍには棚板載架手段１７として図３に示すように、幅方向中央で高さ方向に開口部１８と矩形板状の係着部１９とを交互に所要数配設し、さらに、各支柱３、３Ｍの対向面には、図４（ａ）に示す棚板載架手段１７の要部であるアングル材から成る棚板載架部材２０を、その垂直部２１の背面両端の逆Ｌ形の係着片２２によって図４（ｂ）に示すように係着部１９に係着する。その結果、棚板載架部材２０の水平部である載架部２３が対向する状態となり、両載架部２３に棚板２４をその長手方向両端において載架する。
【００１３】
支柱３、３Ｍの配列は、図２分図（ａ）及び（ｂ）に示すように、前面にのみ高さ方向に開口部１８と係着部１９とを交互に配設した支柱３が、荷台１のＬ寸法スペースの前端で荷台１のＭ寸法スペースの車幅方向両側と中間に枠柱２８に添って立設され、Ｌ寸法スペースの中間及び後端には、図５の分図（Ａ）または（Ｂ）に示すように、前面と後面に同一位相で開口部１８と係着部１９とを交互に配設した支柱３Ｍが立設接合される。その際、荷台１の前端においては左右側端及び中央の各枠柱２８に支柱３を添設するだけでなく、各係着部１９を露出して各枠柱２８に嵌入接合することもある。
そして、荷台１の長手方向で対向する支柱３、３Ｍの対向面には、同一位相の係着部１９において図４（ｂ）に示すように、複数段に渡り棚板載架部材２０を係着し、各段の棚板載架部材２０には両載架部２３において図１（ｂ）に示す状態で棚板２４が載架され、各棚板２４には長手方向にその短手を配するように鉢花を収納したトレイ２９を載置する。
後方残部のＭ寸法スペースには、荷台１の車幅方向両側端に荷台１の長手方向に沿って３列に車幅方向で対向して支柱３を立設接合し、両側端の支柱３には荷台１の長手方向に沿って前記位相と同一位相で棚板載架部材２０（前記Ｌ寸法スペースで使用したものと同一）を、その載架部２３を対向して複数段に渡って係着し、各載架部２３には図２（ｂ）に示すように、所要数の棚板２４をその長手方向両端において載架し、各棚板２４には長手方向にその短手を配するように鉢花を収納したトレイ２９を載置する。
【００１４】
このようにして成る本荷台構造ｂでは、Ｍ寸法スペースの荷台１の後方残部において、前方の車幅方向側端の支柱３に代えて、図６に示すアタッチメント３０を介して後方の支柱３と協働し、棚板載架部材２０を係着することもできる。
すなわち、アタッチメント３０は直角状の横部材３１と縦部材３２と、横部材３１の背面に一体の逆Ｌ形の係着片３３とから成り、アタッチメント３０の係着片３３が、Ｌ寸法スペースで示される荷台１の前方大半に立設接合する支柱３、３Ｍの中で、最後方の両側端の支柱３Ｍの後面に配設される係着部１９に係着され、アタッチメント３０の縦部材３２とＭ寸法スペースで示される荷台１の後方残部の中間部両側に立設接合する支柱３の係着部１９とに、棚板載架部材２０の背面両端（前後端）に一体の係着片２２を係着し、高さ方向各段においてアタッチメント３０を介して棚板載架部材２０が係着され、対向する両載架部２３に棚板２４が載架され、各棚板２４には鉢花をのせたトレイ２９が載置される。
したがって、アタッチメント３０を使用すれば、支柱３が２本が節減されるとともにその収納スペースも削減される。
【００１５】
本発明では本荷台構造ａ、ｂにおいて移動固定自在な支柱３（３Ｍ）を提案するものである。すなわち、図７に示すように、各支柱３（３Ｍ）の下端に垂下したピン４を荷台１の台枠５に穿設したピン孔６に嵌入することによって台枠５に着脱自在に位置決めして成る支柱３（３Ｍ）において、その上端に平面視横長矩形状の筒体３４をその周面内方側でボルトで接合し、筒体３４の上部に逆Ｔ形に開口した案内溝３５に枠体２の上部の縦梁７に一体に垂下するＩ形の案内レール３６の下方逆Ｔ部を案内し、筒体３４の上部周面内方側から螺合する押しネジ３７（蝶ボルトでもよい）で前記逆Ｔ部の水平辺の側方を押圧開放することによって、支柱３（３Ｍ）を縦梁７に対して移動固定自在に吊り下げている。横梁（図外）に対しても同様の構造で移動固定できる。
上記構造の支柱３（３Ｍ）は目的地に鉢花などの貨物を下ろした空車時に、荷台１の運転席側へ全支柱３（３Ｍ）を一括収納できるから、荷台１の空間スペースを有効に確保できる。
【００１６】
このほか図８に示すように、縦梁７に対して直角接合部５２で横梁５３を接合し、縦梁７と横梁５３の下面に接合した横長矩形筒体の案内レール５４の下面にそれぞれ所要幅の案内溝５５を開口し、両案内溝５５を図８（ｂ）に示すように直角接合部５２で連接し、各縦梁７の案内レール５４には、下面の適所に丸穴５６を開口し、丸穴５６より僅かに小径の円盤部５７と案内溝５５に案内される円盤部５７より狭幅の軸部５８とから成る断面視Ｔ形の吊下座５９を支柱３（３Ｍ）の上端に立設し、吊下座５９の円盤部５７を丸穴５６から挿入して案内レール５４に案内し、円盤部５７の上面を案内レール５４の上部内面に接触する状態まで支柱３（３Ｍ）を持ち上げれば、下端のピン４は荷台１の上面を移動できる状態となるから、その状態で所定の立設接合位置まで支柱３（３Ｍ）を移動し、該位置でピン４をピン孔６に係合し、支柱３（３Ｍ）の上部を案内レール５４の外側に垂下した係止板６０へボルト６１で共締め固定する。
前記ボルト６１を外して支柱３（３Ｍ）を持ち上げピン４をピン孔６から脱却し、そのまま縦梁７に沿って移動すれば荷台１の長手方向一端に各支柱３（３Ｍ）を収納でき、９０°回転して押し込めば、吊下座５９は横梁５３の案内レール５４に案内され、各支柱３（３Ｍ）は車幅方向一側へ、或いはその状態から９０°回転すれば該一側での縦梁７の案内レール５４で荷台１の長手方向一端に各支柱３（３Ｍ）を収めることができる。
したがって、空車時の積み荷の種類や荷積みの状況に応じて支柱３（３Ｍ）を移動できるから、積載空間を最大限に確保できる上、その利用自由度を広範に確保できる。
また、支柱３（３Ｍ）の下端中心に１本のピン４を垂下固定し、縦梁７と横梁５３との直角接合部５２の横梁５３の案内レール５４に対応する荷台１の上面で、該ピン４の案内溝６２を開口すれば、支柱３（３Ｍ）の横移動時にはピン４をピン孔６から脱却することなく、支柱３（３Ｍ）を９０°回転するだけで車幅方向の一方から他方へ移動できる。
【００１７】
さらに、各本荷台構造ａ、ｂにおいて、本発明では荷崩れ防止手段３８も提案する。
すなわち、荷崩れ防止手段３８は図９、図１０に示すように、対向配設される両側端の各支柱３（３Ｍ）において、棚板載架部材２０の直下の係着部１９にアイボルトによる軸受３９をそれぞれを配設し、両軸受３９の丸孔に外側から嵌入した横向きＴ形の各受金４０にそれぞれ案内棒４１の各端を螺合して案内棒４１を位置決め固定し、対向して取着された各案内棒４１にはそれぞれスライダー４２が摺動自在に案内され、両スライダー４２の上部には案内棒４１の軸心と直交する軸心の丸孔４２１を開口した軸受部４２２を一体に形成し、軸受部４２２の頂部からスライダー４２の案内孔４３に渡ってネジ孔４４を螺設し、ネジ孔４４に蝶ボルト４５を螺合し、前記丸孔４２１では逆Ｌ字形の回転子４６を水平回転軸４７において回動自在に軸受けし、水平回転軸４７には図１１（ａ）に示すように、接合子４８が鉛直下方に垂下した姿勢で、軸心方向に蝶ボルト４５のネジ軸４９を挿通し得る長孔５０を貫設し、接合子４８には止め板（或いは波形に折曲成形した止め金）５１の一端を接合して成り、荷崩れ防止に使用しないときは、止め板５１が図１１（ｂ）に示すようにはね上げられて、蝶ボルト４５の軸端でその姿勢が保持され、鉢花などの上部で待機する。
【００１８】
本実施例では、２組の止め板５１がスライダー４２を介してそれぞれ案内棒４１に案内されるから、中間部の棚板２４からのトレイ２９が全て下ろされたときでも、両端部のトレイ２９が全て下ろされたときでも、その押さえ位置まではね上げ状態で案内された止め板５１は、回転子４６を介して軸受部４２２で回転され、止め板５１の鉛直姿勢でトレイ２９に接触したら蝶ボルト４５をネジ込めば、蝶ボルト４５のネジ軸４９は水平回転軸４７の長孔５０に係合し、さらにはスライダー４２にネジ込まれてその軸端が案内棒４１に緊着し、スライダー４２が固定されるとともに長孔５０とネジ軸４９の係合によって水平回転軸４７は回転不能となり、止め板５１は位置決めされてトレイ２９の移動を阻止し、荷崩れが防止される。
なお、本発明における荷崩れ防止手段３８は、その待機位置が車幅方向両側端を好位置とし、止め板５１の上げ下げやスライダー４２の移動などの作業上好都合である。
【００１９】
本発明はさらに、本荷台構造ａ、ｂにおいて側部あおり６３を水平開放するための支持手段６４を提案する。すなわち、図１２に示すように、荷台１の台枠５の左右各側方の鉛直軸６５を垂下し、筒体６６の周面に三角形状の支持板６７を一体に縦設した支持体６８を鉛直軸６５に回動自在に軸支し、支持体６８の下方をダブルナット６９で抜け止めして成る。
このようにして成る支持手段６４は図１２分図（ｂ）に示すように、側部あおり６３の台枠５への支持蝶番７０、７０の間で所要個所（３個所乃至５個所）に配設され、走行時には仮想線で示すように台枠５の側方に平行に収納され、使用時には台枠５の側方に直角に突出されて各姿勢が位置決めボルト７１で固定され、側部あおり６３及びその上に負荷される外力を支持する。
したがって、側部あおり６３の水平開放時の上面（通路）には何らの遮るものがなく、貨物の荷積み荷下しができる。
また、支持手段６４は前記の構造のほか、平板状の支持板（図外）を台枠５の内部に出入自在に収納し、荷台１の長手方向の両端には上下方向で回動自在な三角板状のステー（図外）を接合し、支持板を突出したときにステーを垂下して側部あおり６３を支持するものなども提供される。
【００２０】
【発明の効果】
本発明によれば、鉢花などの重ね積みできない貨物を、荷台の側方に沿って支柱間に載架した棚板に荷積みするから側方からの荷積み、荷下しとなって荷積み順序には全く左右されず、また、荷台の後方車幅面からの荷積み、荷下しでは部分的な荷積み計画でなされるから集中的な荷下しに利用できる。さらに、二方向の荷積み変換構造でのアタッチメントは支柱２本を省略でき、各支柱を枠体の上部縦梁や横梁に或いは縦梁から横梁へ連続して移動固定自在に吊り下げた構造では、空車時の積載空間を最大限に確保できる。荷崩れ防止手段を講じたものは部分的に貨物を下ろしたときに他の貨物の荷崩れが防止される。側部あおりを水平開放状態でその下面から支持する支持手段を講じたものはその上面が自由な通路となる効果がある。
【図面の簡単な説明】
【図１】本発明に係わる側面開放車の荷台構造ａの説明図で、（ａ）は平面図、（ｂ）は（ａ）のＰ矢視図。
【図２】本発明に係わる側面開放車の荷台構造ｂの説明図で、（ａ）は平面図、（ｂ）は（ａ）のＱ−Ｑ矢視図。
【図３】荷台１上の枠体と支柱の取付けを示す正面図。
【図４】棚板載架手段の説明図で、（ａ）は棚板載架部材の斜視図、（ｂ）は支柱３への取付け状態図。
【図５】支柱の構成例を示す平面図。
【図６】アタッチメント３０を使用した棚板載架部材の支柱への取付け状態図。
【図７】支柱の枠体縦梁への取付け状態を示す説明図。
【図８】支柱３（３Ｍ）の他の支持構造における説明図で、（ａ）は支柱３（３Ｍ）の取付け縦断面図、（ｂ）は（ａ）のＳ−Ｓ矢視図、（ｃ）は支柱３（３Ｍ）の下端の取付け縦断面図。
【図９】荷崩れ防止手段の正面図。
【図１０】図９のＰ矢視図。
【図１１】止め板の作動説明図で、（ａ）は止め板５１を下げた状態の説明図、（ｂ）は止め板５１をはね上げて待機の状態を示す説明図。
【図１２】側部あおりの支持手段の説明図で、（ａ）は側部あおりの水平開放支持の状態を示し、（ｂ）は左方要部の平面図。
【図１３】本発明側面開放車の荷台上の枠体の斜視図。
【符号の説明】
１  荷台
２  枠体
３  支柱
３Ｍ  支柱
４  ピン
５  台枠
６  ピン孔
７  縦梁
８  支持板
９  持ち手部
１０  固定ピン
１１  溝
１２  固定具
１３  筒金
１４  持ち手部
１５  係止ピン
１６  取手
１７  棚板載架手段
１８  開口部
１９  係着部
２０  棚板載架部材
２１  垂直部
２２  係着片
２３  載架部
２４  棚板
２５  軽山形鋼
２６  継ぎ板
２７  軽みぞ形鋼
２８  枠柱
２９  トレイ
３０  アタッチメント
３１  横部材
３２  縦部材
３３  係着片
３４  筒体
３５  案内溝
３６  案内レール
３７  押しネジ
３８  荷崩れ防止手段
３９  軸受
４０  受金
４１  案内棒
４２  スライダー
４３  案内孔
４４  ネジ孔
４５  蝶ボルト
４６  回転子
４７  水平回転軸
４８  接合子
４９  ネジ軸
５０  長孔
５１  止め板
５２  直角接合部
５３  横梁
５４  案内レール
５５  案内溝
５６  丸穴
５７  円盤部
５８  軸部
５９  吊下座
６０  係止板
６１  ボルト
６２  案内溝
６３  側部あおり
６４  支持手段
６５  鉛直軸
６６  筒体
６７  支持板
６８  支持体
６９  ダブルナット
７０  支持蝶番
７１  位置決めボルト
ａ  側面開放車の荷台構造
ｂ  側面開放車の荷台構造
【図１】
0003677004.tif 000002
【図２】
0003677004.tif 000003
【図３】
0003677004.tif 000004
【図４】
0003677004.tif 000005
【図５】
0003677004.tif 000006
【図６】
0003677004.tif 000007
【図７】
0003677004.tif 000008
【図８】
0003677004.tif 000009
【図９】
0003677004.tif 000010
【図１０】
0003677004.tif 000011
【図１１】
0003677004.tif 000012
【図１２】
0003677004.tif 000013
【図１３】
0003677004.tif 000014